(57)【要約】【課題】２本のコンタクトのペアで信号を伝達する時、これら２本のコンタクトの信号伝達時間差及びインピーダンス差を無くして電気的特性を向上させる。【解決手段】このコネクタモジュールは、上下方向に開閉する金型で形成され、ペアを成す２本のコンタクトを上層側コンタクト及び下層側コンタクトとしてこれらを４ペア有し、上層側コンタクト１００−１  〜１００−４  は１つの平面内に配置され、下層側コンタクト２００−１  〜２００−４  は上記１つの平面に平行なもう１つの平面内に、ペアを成すもの同士がこれら平面と垂直な方向に重なり合うように配置されて、インシュレータ３００  により保持固定される。上下のコンタクトの接続導体の３箇所に、その前後の中心軸線に対し、上下で左右対称に凸状にずれた、凸状ずれ部を設けて、この部分を金型で挟んで位置決めする。【選択図】        図２
2004178886.tif 000002
【特許請求の範囲】
【請求項１】
第１の回路と第２の回路との間に接続されて、これら第１の回路と第２の回路との間での電気信号の伝達を、２本のコンタクトのペアで行う、平衡形線路用のコネクタモジュールであって、次の各構成を有することを特徴とするコネクタモジュール。
（イ）  前記第１の回路の、ペアを成す２本の電極のうちの一方と接触接続する接触接続部、前記第２の回路の、ペアを成す２つの端子のうちの一方と接続する接続部、及びこれら接触接続部・接続部間を１つの平面内で設定された経路でつなぐ接続導体、が一体形成された上層側コンタクト
（ロ）  前記第１の回路の、ペアを成す２本の電極のうちの他方と接触接続する接触接続部、前記第２の回路の、ペアを成す２つの端子のうちの他方と接続する接続部、及びこれら接触接続部・接続部間を、前記１つの平面と一定間隔を隔てて平行なもう１つの平面内でつなぐ接続導体、が前記上層側コンタクトと同一形状、同一寸法に一体形成されて、前記１つの平面及びもう１つの平面の垂直方向で見て前記上層側コンタクトと重なるように配置された、下層側コンタクト
（ハ）  前記上層側コンタクト及び下層側コンタクトを保持固定するインシュレータ
【請求項２】
上下方向に開閉される金型を用いて一体形成され、第１の回路と第２の回路との間に接続されて、これら第１の回路と第２の回路との間での電気信号の伝達を、２本のコンタクトのペアで行う、平衡形線路用のコネクタモジュールであって、次の各構成を有することを特徴とするコネクタモジュール。
（イ）  前記第１の回路の、ペアを成す２本の電極のうちの一方と接触接続する接触接続部、前記第２の回路の、ペアを成す２つの端子のうちの一方と接続する接続部、及びこれら接触接続部・接続部間を１つの平面内で設定された経路でつなぐ接続導体、を含み、この接続導体の、中間部分、前記接触接続部との接続部分、及び前記接続部との接続部分それぞれが、その前後の中心軸を結ぶ軸線に対し設定寸法だけ凸状にずれた形状を成す上層側コンタクト
（ロ）  前記第１の回路の、ペアを成す２本の電極のうちの他方と接触接続する接触接続部、前記第２の回路の、ペアを成す２つの端子のうちの他方と接続する接続部、及びこれら接触接続部・接続部間を、前記１つの平面と一定間隔を隔てて平行なもう１つの平面内でつなぐ接続導体、を含み、この接続導体の、前記上層側コンタクトの接続導体における中間部分、接触接続部との接続部分、及び接続部との接続部分それぞれと対応する部分が、その前後の中心軸を結ぶ軸線に対し、前記上層側コンタクトの、凸状にずれた部分と対称になるように凸状にずれた形状を成す以外は前記上層側コンタクトと同一形状、同一寸法で、この同一形状、同一寸法の部分が、前記１つの平面及びもう１つの平面の垂直方向に対し、前記上層側コンタクトと重なるように配置された下層側コンタクト
（ハ）  前記上層側コンタクト及び下層側コンタクトの接続導体の、中間部分、接触接続部との接続部分、及び接続部との接続部分の凸状にずれた部分それぞれが、前記金型により上下から挟んで位置決めされ、かつ、その接触接続部との接続部分及び接続部との接続部分の凸状のずれの部分の一部が外側に露出するように前記金型により樹脂形成されて、前記上層側コンタクト及び下層側コンタクトを保持固定するインシュレータ
【請求項３】
前記上層側コンタクトが、前記１つの平面内に複数本、設定された相互間隔で配置され、これら上層側コンタクト複数本と対応して前記下層側コンタクト複数本が、前記もう１つの平面内に配置された構造である、請求項１又は請求項２に記載のコネクタモジュール。
【発明の詳細な説明】
【０００１】
【発明の属する技術分野】
本発明はコネクタモジュールに関し、特に２本１組の平衡形ケーブルで電気信号を伝送する、差動伝送や平衡伝送に適したコネクタモジュールに属する。
【０００２】
【従来の技術】
差動伝送や平衡伝送には、２本の信号線路を１組とした平衡形ケーブルが使用されるが、この平衡形ケーブルと他の回路部材との間を接続するコネクタも２本の信号線路と対応する２本のコンタクトを１組として配置することが必要である。このような、２本１組のコンタクトを含むコネクタモジュールの一例を図４及び図５に示す。
【０００３】
このコネクタモジュールは、上下方向に開閉する金型により形成されて、４本のコンタクト５００−１〜５００−４とインシュレータ６００とを含んで構成され、４本のコンタクト５００−１〜５００−４のうちの５００−１及び５００−２で１ペア、５００−３及び５００−４で他の１ペアを形成する。
【０００４】
このコネクタモジュールでは、これら４本のコンタクト５００−１〜５００−４が１つの平面内に配置されてインシュレータ６００により固定され、それぞれが、対応する相手方と接触接続する接触接続部５１０（５１０−１〜５１０−４）と、他の回路部材と対応接続する接続部５２０（５２０−１〜５２０−４）と、これら接触接続部５１０・接続部５２０間をつなぐ接続導体５３０（５３０−１〜５３０−４）と、を含んで導電性部材により一体形成されている。
【０００５】
なお、これら４本のコンタクト５００−１〜５００−４は、図５（ｂ）に示すように、接触接続部５１０側の接続導体５３０との接続部分で隣接するもの同士で連絡保持バー７１０により互いに連結され、また、接続部５２０側では、その先端部分で連結フレーム７２０により連結されて、コンタクト集合形成体７００として一体形成され、更に、この状態でその周囲にインシュレータ６００が樹脂成形され、連結保持バー７１０及び連結フレーム７２０は切除されて、コネクタモジュールが完成する。
【０００６】
また、インシュレータ６００のコンタクト保持配置孔６１０〜６４０は、コンタクトそれぞれを前述の金型により上下から挟んで位置決め保持固定する際に出来たもので、このインシュレータ６００に対するコンタクト５００−１〜５００−４の配置確認などにも使用される。
【０００７】
また、このコネクタモジュールでは、接触接続部５１０（５１０−１〜５１０−４）の長手方向の軸と、接続部５２０（５２０−１〜５２０−４）の長手方向の軸と、の間で９０°の差があり、その接続導体５３０（５３０−１〜５３０−４）は、その中間部分が略４５°傾斜していて、その中間部分と対応する部位に、インシュレータ６００のコンタクト保持配置孔６１０〜６４０に配置されるようになっている。
【０００８】
【発明が解決しようとする課題】
上述した従来のコネクタモジュールは、ペアを成す２本１組のコンタクト５００−１，５００−２、及び他の１組のコンタクト５００−３，５００−４の４本のコンタクト５００（５００−１〜５００−４）が１つの平面に配置されてインシュレータ６００に保持固定され、かつ、その接触接続部５１０（５１０−１〜５１０−４）と接続部５２０（５２０−１〜５２０−４）とは軸方向が９０°ずれており、その接続導体５３０（５３０−１〜５３０−４）は中間部分が４５°傾斜して、これら接触接続部５１０・接続部５２０間を接続する構造、構成となっているので、ペアを成す２本のコンタクトの長さが異なり、このために、これら２本のコンタクトの間で電気信号の伝達時間差やインピーダンスの差が発生して電気的特性が劣化するという問題点や、２つのペアが同一平面上に配置されているので、２つのペア間でクロストークが生じやすい、という問題点があり、また、ペアを成す２本のコンタクト間隔はコンタクト集合形成体７００で決定されるため、インピーダンスの調整が困難である、という問題点がある。
【０００９】
本発明の目的は、上記従来技術の問題点に鑑みて、ペアを成す２本のコンタクト間の信号伝達時間差、インピーダンスの差を無くして電気的特性の向上をはかることができ、かつ、ペア間のクロストークの低減、及びペアのインピーダンスの調整が容易なコネクタモジュールを提供することにある。
【００１０】
【課題を解決するための手段】
本発明のコネクタモジュールは、第１の回路と第２の回路との間に接続されて、これら第１の回路と第２の回路との間での電気信号の伝達を、２本のコンタクトのペアで行う、平衡形線路用のコネクタモジュールであって、次の各構成を有することを特徴とする。
（イ）  前記第１の回路の、ペアを成す２本の電極のうちの一方と接触接続する接触接続部、前記第２の回路の、ペアを成す２つの端子のうちの一方と接続する接続部、及びこれら接触接続部・接続部間を１つの平面内で設定された経路でつなぐ接続導体、が一体形成された上層側コンタクト
（ロ）  前記第１の回路の、ペアを成す２本の電極のうちの他方と接触接続する接触接続部、前記第２の回路の、ペアを成す２つの端子のうちの他方と接続する接続部、及びこれら接触接続部・接続部間を、前記１つの平面と一定間隔を隔てて平行なもう１つの平面内でつなぐ接続導体、が前記上層側コンタクトと同一形状、同一寸法に一体形成されて、前記１つの平面及びもう１つの平面の垂直方向で見て前記上層側コンタクトと重なるように配置された、下層側コンタクト
（ハ）  前記上層側コンタクト及び下層側コンタクトを保持固定するインシュレータ
【００１１】
また、上下方向に開閉される金型を用いて一体形成され、第１の回路と第２の回路との間に接続されて、これら第１の回路と第２の回路との間での電気信号の伝達を、２本のコンタクトのペアで行う、平衡形線路用のコネクタモジュールであって、次の各構成を有することを特徴とする。
（イ）  前記第１の回路の、ペアを成す２本の電極のうちの一方と接触接続する接触接続部、前記第２の回路の、ペアを成す２つの端子のうちの一方と接続する接続部、及びこれら接触接続部・接続部間を１つの平面内で設定された経路でつなぐ接続導体、を含み、この接続導体の、中間部分、前記接触接続部との接続部分、及び前記接続部との接続部分それぞれが、その前後の中心軸を結ぶ軸線に対し設定寸法だけ凸状にずれた形状を成す上層側コンタクト
（ロ）  前記第１の回路の、ペアを成す２本の電極のうちの他方と接触接続する接触接続部、前記第２の回路の、ペアを成す２つの端子のうちの他方と接続する接続部、及びこれら接触接続部・接続部間を、前記１つの平面と一定間隔を隔てて平行なもう１つの平面内でつなぐ接続導体、を含み、この接続導体の、前記上層側コンタクトの接続導体における中間部分、接触接続部との接続部分、及び接続部との接続部分それぞれと対応する部分が、その前後の中心軸を結ぶ軸線に対し、前記上層側コンタクトの、凸状にずれた部分と対称になるように凸状にずれた形状を成す以外は前記上層側コンタクトと同一形状、同一寸法で、この同一形状、同一寸法の部分が、前記１つの平面及びもう１つの平面の垂直方向に対し、前記上層側コンタクトと重なるように配置された下層側コンタクト
（ハ）  前記上層側コンタクト及び下層側コンタクトの接続導体の、中間部分、接触接続部との接続部分、及び接続部との接続部分の凸状にずれた部分それぞれが、前記金型により上下から挟んで位置決めされ、かつ、その接触接続部との接続部分及び接続部との接続部分の凸状のずれの部分の一部が外側に露出するように前記金型により樹脂形成されて、前記上層側コンタクト及び下層側コンタクトを保持固定するインシュレータ
【００１２】
また、前記上層側コンタクトが、前記１つの平面内に複数本、設定された相互間隔で配置され、これら上層側コンタクト複数本と対応して前記下層側コンタクト複数本が、前記もう１つの平面内に配置された構造である、構成を有している。
【００１３】
【発明の実施の形態】
本発明の第１の実施の形態は、第１の回路と第２の回路との間に接続されて、これら第１の回路と第２の回路との間での電気信号の伝達を、２本のコンタクトのペアで行う、平衡形線路用のコネクタモジュールであって、上記第１の回路の、ペアを成す２本の電極のうちの一方と接触接続する接触接続部、上記第２の回路の、ペアを成す２つの端子のうちの一方と接続する接続部、及びこれら接触接続部・接続部間を１つの平面内で設定された経路でつなぐ接続導体、が一体形成された上層側コンタクトと、上記第１の回路の、ペアを成す２本の電極のうちの他方と接触接続する接触接続部、上記第２の回路の、ペアを成す２つの端子のうちの他方と接続する接続部、及びこれら接触接続部・接続部間を、上記１つの平面と一定間隔を隔てて平行なもう１つの平面内でつなぐ接続導体、が上記上層側コンタクトと同一形状、同一寸法に一体形成されて、上記１つの平面及びもう１つの平面の垂直方向で見て上記上層側コンタクトと重なるように配置された、下層側コンタクトと、上記上層側コンタクト及び下層側コンタクトを保持固定するインシュレータと、
を有して構成され、上記上層側コンタクトが、上記１つの平面内に複数本、設定された相互間隔で配置され、これら上層側コンタクト複数本と対応して上記下層側コンタクト複数本が、上記もう１つの平面内に配置された構造である、構成となっている。
【００１４】
このような構成とすることにより、ペアを成す２本のコンタクト、即ち、上層側コンタクト及び下層側コンタクトは、その形状、寸法が全く同一であるので、ペアを成すこれらコンタクト間の、信号の伝達時間差及びインピーダンスの差を無くすことができて、電気的特性を向上させることができ、また、ペアを成す２本のコンタクトに対するインピーダンスの調整は、その間隔により調整できてこの間隔は、これら対を成すコンタクトをインシュレータで固定する際に決定すればよいので、これら対を成す２本のコンタクトに対するインピーダンスの調整が容易にでき、更に、複数ペア配置された各ペアは、２本のコンタクトが互いに近接して上下に配置され、かつ、これら各ペアは、上下方向に対し互いに異なる面に配置されているので、これらペア間のクロストークを低減することができる。
【００１５】
本発明の第２の実施の形態は、上下方向に開閉される金型を用いて一体形成され、第１の回路と第２の回路との間に接続されて、これら第１の回路と第２の回路との間での電気信号の伝達を、２本のコンタクトのペアで行う、平衡形線路用のコネクタモジュールであって、次の各構成を有している。
（イ）  上記第１の回路の、ペアを成す２本の電極のうちの一方と接触接続する接触接続部、上記第２の回路の、ペアを成す２つの端子のうちの一方と接続する接続部、及びこれら接触接続部・接続部間を１つの平面内で設定された経路でつなぐ接続導体、を含み、この接続導体の、中間部分、上記接触接続部との接続部分、及び上記接続部との接続部分それぞれが、その前後の中心軸を結ぶ軸線に対し設定寸法だけ凸状にずれた形状を成す上層側コンタクト
（ロ）  上記第１の回路の、ペアを成す２本の電極のうちの他方と接触接続する接触接続部、上記第２の回路の、ペアを成す２つの端子のうちの他方と接続する接続部、及びこれら接触接続部・接続部間を、上記１つの平面と一定間隔を隔てて平行なもう１つの平面内でつなぐ接続導体、を含み、この接続導体の、上記上層側コンタクトの接続導体における中間部分、接触接続部との接続部分、及び接続部との接続部分それぞれと対応する部分が、その前後の中心軸を結ぶ軸線に対し、上記上層側コンタクトの、凸状にずれた部分と対称になるように凸状にずれた形状を成す以外は上記上層側コンタクトと同一形状、同一寸法で、この同一形状、同一寸法の部分が、上記１つの平面及びもう１つの平面の垂直方向に対し、上記上層側コンタクトと重なるように配置された下層側コンタクト
（ハ）  上記上層側コンタクト及び下層側コンタクトの接続導体の、中間部分、接触接続部との接続部分、及び接続部との接続部分の凸状にずれた部分それぞれが、上記金型により上下から挟んで位置決めされ、かつ、その接触接続部との接続部分及び接続部との接続部分の凸状のずれの部分の一部が外側に露出するように上記金型により樹脂形成されて、上記上層側コンタクト及び下層側コンタクトを保持固定するインシュレータ
【００１６】
このような構造、構成とすることにより、凸状のずれの部分は同一形状ではないが、左右対称であるので、前述の第１の実施の形態における作用効果を確保しつ、金型により、上層側コンタクト及び下層側コンタクトを高精度に位置決めして、極めて容易に、このコネクタモジュールを形成することができる。
【００１７】
【実施例】
次に、本発明の実施例について図面を参照して説明する。
図１は本発明の一実施例を示す平面図及び２方向から見た側面図、図２はその上層側コンタクトの上面に沿った面からコンタクト側を見た平面図及びそのインシュレータの複数のコンタクト保持配置孔を通る面から見た断面側面図である。
【００１８】
この実施例は、上下方向に開閉される金型を用いて一体形成され、第１の回路と第２の回路との間に接続されて、これら回路間での信号の伝達を２本のコンタクトのペアで行う、平衡形線路用のコネクタモジュールであって、１つの平面内に配置された複数本（この実施例では４本）の上層側コンタクト１００−１〜１００−４と、この１つの平面と設定間隔を隔てて平行に配置されたもう１つの平面内に配置された複数本（４本）の下層側コンタクト２００−１〜２００−４と、これらコンタクトを保持固定するインシュレータ３００と、を有して構成され、その詳細は次のとおりである。
【００１９】
上層側コンタクト１００−１〜１００−４それぞれは、第１の回路の、対応するペアの２本の電極のうちの一方と接触接続する接触接続部（１１０−１〜１１０−４）、第２の回路の、対応するペアの２つの端子のうちの一方と接続する接続部（１２０−１〜１２０−４）、及びこれら接触接続部・接続部間を上記１つの平面内で設定経路でつなぐ接続導体（１３０−１〜１３０−４）を含み、これら接続導体（１３０−１〜１３０−４）の、中間部分、接触接続部（１１０−１〜１１０−４）との接続部分、及び接続部（１２０−１〜１２０−４）との接続部分それぞれに、その前後の中心軸を結ぶ軸線に対し、接続導体（１３０−１〜１３０−４）の幅の１／２強の寸法だけ、例えば右方向に、凸状にずれた、中間部分凸状ずれ部（１３２−１〜１３２−４）、接触接続部側凸状ずれ部（１３１−１〜１３１−４）、及び接続部側凸状ずれ部（１３３−１〜１３３−４）が形成されて、金属板等により一体形成された構造となっている。
【００２０】
また、下層側コンタクト２００−１〜２００−４それぞれは、上層側コンタクト１００−１〜１００−４と対応してペアを成し、第１の回路の、対応するペアの２本の電極のうちの他方と接触接続する接触接続部（２１０−１〜２１０−４）、第２の回路の、対応するペアの２つの端子のうちの他方と接続する接続部（２２０−１〜２２０−４）、及びこれら接触接続部・接続部間を、上記もう１つの平面内でつなぐ接続導体（２３０−１〜２３０−４）を含み、これら接続導体（２３０−１〜２３０−４）の、上層側コンタクト（１００−１〜１００−４）の接続導体（１３０−１〜１３０−４）における中間部分、接触接続部との接続部分、及び接続部との接続部分それぞれと対応する部分が、その前後の中心軸を結ぶ軸線に対し、上層側コンタクト（１００−１〜１００−４）の、凸状にずれた部分、即ち、中間部分凸状ずれ部（１３２−１〜１３２−４）、接触接続部側凸状ずれ部（１３１−１〜１３１−４）、及び接続部側凸状ずれ部（１３３−１〜１３３−４）と対称になるように凸状にずれた形状を成す以外は、上層側コンタクト（１００−１〜１００−４）と同一形状、同一寸法に、金属板等により一体形成され、これら同一形状、同一寸法の部分が、１つの平面及びもう１つの平面の垂直方向に見て、上層側コンタクト（１００−１〜１００−４）と対応して重なるように配置される。
【００２１】
また、インシュレータ３００は、上層側コンタクト１００及び下層側コンタクト２００の接続導体（１３０−，２３０−）の、３箇所の凸状ずれ部それぞれを、前述の金型により、上下から挟んで支持し位置決めし、かつ３箇所のうちの接触接続部側及び接続部側の凸状ずれ部はその一部がインシュレータ３００の外側に露出するように、この金型で樹脂形成されて、上層側コンタクト１００及び下層側コンタクト２００を保持固定する。このインシュレータ３００の、コンタクト保持配置孔３１０〜３４０は、金型により、上層側コンタクト１００及び下層側コンタクト２００の、接続導体の中間部分の凸状ずれ部をその上下から挟んで支持する際に出来たもので、これにより、これらコンタクトの位置を確認することもできる。
【００２２】
この実施例では、ペアを成す上層側コンタクト（例えば１００−１）及び下層側コンタクト（２００−１）は、その接触接続部側凸状ずれ部（１３１−１，２３１−１）、中間部分凸状ずれ部（１３２−１，２３２−１）、及び接続部側凸状ずれ部（１３３−１，２３３−１）において、接続導体（１３０−１，２３０−１）の中心軸線に対し、右側、左側の異なる方向にずれている以外はその形状、寸法が全く同一であり、これら凸状ずれ部も、中心軸線に対し対称であるので、ペアを成すこれら上層側コンタクト及び下層側コンタクト間で、その信号の伝達時間差が無く、またインピーダンスの差も無くすことができる。従って、ペアを成すこれら２本のコンタクトに対する電気的諸特性を向上させることができる。
【００２３】
また、ペアを成すこれら２本のコンタクトに対するインピーダンスの調整は、金型により、そのインシュレータへの保持固定間隔を変える等して容易に行うことができる。
【００２４】
また、このコネクタモジュールに複数ペアのコンタクトを組み込んだ場合に複数ペアが、互いに異なる面に対しペアを成す２本のコンタクトを配置する構造となるので、これらペア間でのクロストークを低減することができる。
【００２５】
この実施例において、１つの平面内に配置される複数の上層側コンタクト１００−１〜１００−４は、図３（ａ）に示すように、その接触接続部１１０−１〜１１０−４の接続導体側で隣接するもの同士が連結バー４１０により互いに連結され、また、その接続部１２０−１〜１２０−４の先端部分が連結フレーム４２０により互いに連結されて、これら連結バー４１０及び連結フレーム４２０を含めた形の、上層側コンタクト結合形成体４００として金属板等により一体形成される。
【００２６】
また、複数の下層側コンタクト２００−１〜２００−４も同様にして、図３（ｂ）に示すように、連結バー４６０及び連結フレーム４７０を含めた形の、下層側コンタクト結合形成体４５０として一体形成される。
【００２７】
そして、これら上層側コンタクト結合形成体４００及び下層側コンタクト結合形成体４５０をこのままの状態で金型により一定の間隔を隔て、かつその同一形状、同一寸法の部分が、１つの平面及びもう１つの平面に対し垂直な方向に重なるように配置してインシュレータ３００を形成し、その後、金型を開いて連結バー４１０，４６０、及び連結フレーム４２０，４７０を切除することにより、図１及び図２に示されたコネクタモジュールが完成する。
【００２８】
このように、同一平面内に配置される複数のコンタクトを、コンタクト結合形成体としてインシュレータに保持固定することにより、これら複数のコンタクトの相互間隔を設定寸法どおりに精度良く保持することができ、また、ペアを成す２本のコンタクト間の間隔が金型により設定寸法どおりに確保しやすくなり、かつ、これら２本のコンタクトの同一形状、同一寸法の部分が、正確に重なり合うようにすることができる。
【００２９】
なお、この実施例において、ペアを成す上層側コンタクト及び下層側コンタクトの、凸状ずれ部の部分を、接続導体の幅の１／２強の寸法で互いに逆方向となるようにずらすようにしているが、このようにすると、上下のコンタクトそれぞれを、その幅全体で金型により支持することができ、また、これら凸状ずれ部を真上（又は真下）から見た時に、これら凸状ずれ部が重なり合うことなく、わずかな隙間を隔てて、上下共その全体の幅を確認することができて、ペアを成す上下のコンタクト間の配置状態を確認しやすくなる。
【００３０】
この実施例では、上下方向に開閉する金型を用いて、上下のコンタクトを支持、配置し、インシュレータを形成するように、各コンタクトの接続導体の３箇所に凸状ずれ部を形成したが、上下方向に開閉する金型を用いなくとも上下のコンタクトが設定された間隔を保持し、かつインシュレータに対し設定された状態で保持、固定することができれば、これら凸状ずれ部の部分が無い、ペアを成す上下２本のコンタクトが全く同一の形状、同一の寸法として、コネクタモジュールを形成することができる。
【００３１】
【発明の効果】
以上説明したように本発明は、第１に、ペアを成す２本のコンタクトを全く同一形状、同一寸法に形成して一定間隔で平行に上下に配置してインシュレータに保持固定する構造、構成とすることにより、これらペアを成す２本のコンタクトの間での、信号の伝達時間差及びインピーダンス差を無くすことができて電気的諸特性を向上させることができ、またペアを成すこれら２本のコンタクトに対するインピーダンスは、これら２本のコンタクト間隔等により決定されて、この間隔の設定が容易であるので、このインピーダンスの調整が容易である、という効果があり、このようなペアを、複数ペア配置したとしても、これら各ペアは、上下方向に対し互いに異なる面に配置されているので、これらペア間のクロストークを低減することができる、という効果があり、また、このようなコネクタモジュールが、上下に開閉する金型を用いて形成される場合には、上下のコンタクトの接続導体それぞれに３箇所、上下で対称に凸状にずれた形状として、この凸状にずれた部分を金型により上下から挟んで保持固定して、インシュレータを樹脂形成することにより、前述の効果を確保しつつ、上下のコンタクトを高精度で位置決め固定することができて、コネクタモジュール全体を極めて容易に形成することができる、という効果がある。
【図面の簡単な説明】
【図１】本発明の一実施例を示す平面図及び２方向から見た側面図である。
【図２】図１に示された実施例の、上層側コンタクトの上面に沿った面からコンタクト側を見た平面図、及びそのインシュレータの複数のコンタクト保持配置孔を通る面から見た断面側面図である。
【図３】図１及び図２に示された実施例の、複数の上層側コンタクト及び下層側コンタクトを形成、配置する際の、上層側コンタクト結合形成体及び下層側コンタクト結合形成体の平面図である。
【図４】従来のコネクタモジュールの一例を示す平面図及び２方向から見た側面図である。
【図５】図４に示されたコネクタモジュールの、複数のコンタクトの上面に沿った面からコンタクト側を見た平面図及びそのインシュレータの複数のコンタクト保持配置孔を通る面から見た断面側面図、並びに複数のコンタクトを形成、配置する際の、コンタクト結合形成体の平面図である。
【符号の説明】
１００−１〜１００−４  上層側コンタクト
１１０−１〜１１０−４  接触接続部
１２０−１〜１２０−４  接続部
１３０−１〜１３０−４  接続導体
１３１−１〜１３１−４  接触接続部側凸状ずれ部
１３２−１〜１３２−４  中間部分凸状ずれ部
１３３−１〜１３３−４  接続部側凸状ずれ部
２００−１〜２００−４  下層側コンタクト
２１０−１〜２１０−４  接触接続部
２２０−１〜２２０−４  接続部
２３０−１〜２３０−４  接続導体
２３１−１〜２３１−４  接触接続部側凸状ずれ部
２３２−１〜２３２−４  中間部分凸状ずれ部
２３３−１〜２３３−４  接続部側凸状ずれ部
３００  インシュレータ
３１０〜３４０  コンタクト保持配置孔
４００  上層側コンタクト結合形成体
４１０  連結バー
４２０  連結フレーム
４５０  下層側コンタクト結合形成体
４６０  連結バー
４７０  連結フレーム
５００−１〜５００−４  コンタクト
５１０−１〜５１０−４  接触接続部
５２０−１〜５２０−４  接続部
５３０−１〜５３０−４  接続導体
６００  インシュレータ
６１０〜６４０  コンタクト保持配置孔
７００  コンタクト結合形成体
７１０  連結保持バー
７２０  連結フレーム
【図１】
2004178886.tif 000003
【図２】
2004178886.tif 000004
【図３】
2004178886.tif 000005
【図４】
2004178886.tif 000006
【図５】
2004178886.tif 000007